(57)【要約】【課題】化粧踏板又は仮設踏板の段鼻部分を廃止して施工作業等を安全に行えるようにすると共に、仮設踏板の取り外し作業及び化粧踏板の取付け作業を簡易に行え、且つ施工後のデザイン性にも優れている仮設化粧階段を提供する。【解決手段】水平部１０ａと垂直部１０ｂとが交互に形成してなる一対の側板１０，１０と、該側板１０，１０の水平部１０ａ，１０ａに設置する仮設踏板又は化粧踏板５と、前記側板１０，１０の垂直部１０ｂ，１０ｂに設置する蹴込板と、を有する仮設化粧階段であって、前記蹴込板を断面略逆台形状に成形すると共に、前記化粧踏板５の前部に滑り止め部を設け、該滑り止め部で前記蹴込板の上部先端を覆うようにした。【選択図】図１
2004052451.tif 000002
【特許請求の範囲】
【請求項１】
水平部と垂直部とを交互に形成してなる一対の側板と、該側板の水平部に設置する仮設踏板又は化粧踏板と、前記側板の垂直部に設置する蹴込板と、を有する仮設化粧階段であって、
前記蹴込板を断面略逆台形状に成形すると共に、前記化粧踏板の前部に滑り止め部を設け、該滑り止め部で前記蹴込板の上部先端を覆うようにしたことを特徴とする仮設化粧階段。
【請求項２】
水平部と垂直部とが交互に形成してなる一対の側板と、該側板の水平部に形成した溝に挿入する仮設踏板又は化粧踏板と、前記側板の垂直部に設置する蹴込板と、を有する仮設化粧階段であって、
前記側板の溝と仮設踏板又は化粧踏板との間の隙間に竹製又は吸湿潤張性を有する部材からなるくさびを嵌合して前記側板と仮設踏板又は化粧踏板とを固定したことを特徴とする仮設化粧階段。
【発明の詳細な説明】
【０００１】
【発明の属する技術分野】
本発明は、二階建て住宅等の建造物を施工するにあたって、その施工時及び施工後の使用を兼ねる仮設化粧階段に関するものである。
【０００２】
【従来の技術】
従来の仮設化粧階段としては、図５及び図６に示すように、水平部１ａと垂直部１ｂとが交互に連続してなる一対の側板１，１を柱又は壁に固定したものが知られている。
【０００３】
そして、側板１，１の水平部１ａには下地材２を釘３，３で固定し、垂直部１ｂには蹴込板４を設置し、この蹴込板４の一端を仮設踏板又は化粧踏板５の切り込みの中に挿入し、且つ前記下地材２の上部を覆うように仮設踏板又は化粧踏板５を設置するのである。
【０００４】
ここで、仮設踏板５は側板１，１との間に一旦固定された後、施工作業が終わった最終段階で取り外されて化粧踏板を設置する作業が行われているものである。これは、住宅の施工における階段の設置作業は初期の段階で行われ、２階に資材を運ぶのに階段を利用するのであるが、資材を階段にぶつけたり、引っ掛けたりすることによって傷がついてもいいように施工作業時には踏み板に仮設踏板を使用しているのである。
【０００５】
【発明が解決しようとする課題】
しかしながら、上記構成では、化粧踏板５には蹴込板４よりも前方に突き出した段鼻部分５ａを必要とするものである。この段鼻部分５ａが、施工時の作業でのつまづきや、階段上へ搬送する部材を引っ掛ける原因となる場合があり、階段の昇り時には、相当の注意を必要とするものであった。
【０００６】
また、側板１，１と仮設踏板５との固定には複数の釘を使用しているため、化粧踏板５を取付ける作業の際には先ず、仮設踏板５の複数の釘を引き抜いて仮設踏板５を取り除く作業を行った後、化粧踏板５の表面の複数箇所に釘を打付けて側板１，１の水平部１ａに取付固定する作業をも必要とするものであった。
【０００７】
そして、通常仮設踏板又は化粧踏板の厚みは所定の強度を確保するために３０ｍｍ〜３６ｍｍに設定しているが、これに釘を打ち込むには最低でも５０ｍｍの長さの釘が必要であり、高価であると共に、釘打ち作業は仮設踏板又は化粧踏板５に下穴を開けてから行うため時間がかかっていた。
【０００８】
さらに、仮設踏板を使用しないで、直接化粧踏板を設置し、化粧踏板の表面を段ボールやフィルム等の養生材で覆って施工作業をすることも従来より行われているが、養生材を使用した場合には養生材を貼り付ける作業及び階段完成後の撤去作業に時間を費やさなければならないものであった。
【０００９】
本発明は上記点に鑑み、化粧踏板又は仮設踏板の段鼻部分を廃止して施工作業等を安全に行えるようにすると共に、仮設踏板の取り外し作業及び化粧踏板の取付け作業を簡易に行え、且つ施工後のデザイン性にも優れている仮設化粧階段を提供することを目的とする。
【００１０】
【課題を解決するための手段】
請求項１の発明は、図面に付した符号を用いて説明すると、水平部１０ａと垂直部１０ｂとが交互に形成してなる一対の側板１０，１０と、該側板１０，１０の水平部１０ａ，１０ａに設置する仮設踏板又は化粧踏板５と、前記側板１０，１０の垂直部１０ｂ，１０ｂに設置する蹴込板１１と、を有する仮設化粧階段であって、
前記蹴込板１１を断面略逆台形状に成形すると共に、前記化粧踏板５の前部に滑り止め部１３を設け、該滑り止め部１３で前記蹴込板１１の上部先端を覆うようにしたことに特徴を有する。したがって、断面略逆台形状に成形した蹴込板の下部は細くなることから仮設踏板又は化粧踏板の踏み込み面積を十分に確保することができる。また、滑り止め部を設けることによって段鼻部を廃止することができるので、施工作業時のつまずきや引っ掛けを防止することができる。
【００１１】
また、請求項２の発明は、水平部１０ａと垂直部１０ｂとが交互に形成してなる一対の側板１０，１０と、該側板１０，１０の水平部１０ａ，１０ａに形成した溝１０ｃ，１０ｃに挿入する仮設踏板又は化粧踏板５と、前記側板１０，１０の垂直部１０ｂ，１０ｂに設置する蹴込板と、を有する仮設化粧階段であって、前記側板の溝１０ｃ，１０ｃと仮設踏板又は化粧踏板５との間の隙間に竹製又は吸湿潤張性を有する部材からなるくさび１２を嵌合して前記側板１０，１０と仮設踏板又は化粧踏板５とを固定したことに特徴を有する。したがって、くさびで固定された側板と仮設踏板又は化粧踏板とは強固に固定されると共に、釘の引き抜き作業が容易なことから仮設踏板から化粧踏板に取り替える作業を迅速に行うことができる。
【００１２】
【発明の実施の形態】
次に、本発明の実施形態を図面に基づいて説明する。図１は仮設踏板又は化粧踏板が側板の溝に挿入される状態を示す説明図である。また、図２は断面図であり、図３は本発明に係る仮設化粧階段を示す斜視図である。尚、説明上、図面右側の側板は図示せず、各部材の断面を示してある。
【００１３】
図１に示すように、側板１０の内側の面には、仮設踏板又は化粧踏板５の側端部５ｂが挿入される溝１０ｃが形成されてなる水平部１０ａが設けられている。また、蹴込板１１の側端部１１ａが挿入される溝１０ｄが形成されてなる垂直部１０ｂも設けられている。
【００１４】
そして、仮設化粧階段の設置手順としては、先ず２枚の側板１０，１０を所定の間隔をあけて図示していない柱又は壁に固定する。次に、設置される仮設化粧階段の裏側から側板１０，１０の内側の溝１０ｃ，１０ｃに仮設踏板５を挿入する。そこへ、くさび１２を打ち込み、側板１０，１０と仮設踏板５とを固定する。最後に、蹴込板１１を側板１０，１０の内側の溝１０ｄ，１０ｄに挿入した後、釘やビス等を打付けて蹴込板１１を側板１０，１０に固定するのである。
【００１５】
次に、階段上での施工作業が終了した後、側板１０，１０の内側の溝１０ｃ，１０ｃに打ち込んだくさび１２，１２を引き抜いて仮設踏板５を取り外すのである。その後、化粧踏板５を側板１０，１０の内側の溝１０ｃに挿入し、側板１０，１０の内側の溝１０ｃ，１０ｃと化粧踏板５との間に形成される隙間に、仮設踏板５を設置した時と同様にしてくさび１２を打ち込んで化粧踏板５を側板１０，１０に固定するのである。
【００１６】
さらに、化粧踏板５の先端部５ｃ及び蹴込板１１の上端部１１ｂを覆うように滑り止め部１３が設置されて階段が完成するのである。
【００１７】
図４は、本発明に係る仮設化粧階段に使用するくさびを示した説明図である。このくさび１２，１２は、側板１０，１０及び側板の内側の溝１０ｃ，１０ｃに接触する部分１２ａと仮設踏板又は化粧踏板５の側面と接触する部分１２ｂとを有しているものであり、竹製又は、竹と同様の吸湿潤張性を有する部材によって成形されている。ここで、「吸湿潤張性」とは、空気中の水分を吸収して体積が膨張する性質のことをいう。これによって、予め乾燥しているくさびを使用すれば、湿度が高くなった場合にくさびが膨張して側板１０，１０と仮設踏板又は化粧踏板５とを強固に固定することができ、固定した後の緩みを防止することができるのである。例えば、杉、檜等の針葉樹木材、硬質発泡プラスチック成形材に吸着材、吸湿材の溶液を含浸させたものを使用することができる。
【００１８】
また、図２と図３に示しているとおり、蹴込板１１の形状はその断面が略逆台形状となるようにしている。これにより、蹴込板１１の下部に対して垂直前方に突出する仮設踏板又は化粧踏板５は、従来の踏み板と同様の踏み込み面積（足が接地できる面積）を確保することができるのである。
【００１９】
また、蹴込板１１の表面は若干のＲを付けた曲面１１ｃとして形成している。これによって階段を正面から見た場合の見栄えを良くすることができるのである。
【００２０】
さらに、従来の段鼻部分に替わって設置された滑り止め部１３は、ゴム製又は硬質プラスチック成形されたものを使用し、その断面を見ても明らかなように曲面１３ａとしている。したがって、蹴込板１１と同様に、階段を正面から見た場合の見栄えを良くすることができるのである。
【００２１】
また、この滑り止め部１３に硬質プラスチック成形されたものを使用する場合であれば、製造時に着色を施すことは容易であり、これにより、カラフルでデザイン性に優れた階段とすることもできるのである。
【００２２】
尚、本発明の趣旨を逸脱しない範囲において、種々の実施形態をとるこができることは言うまでもない。上記実施形態では側板１０，１０の内側に仮設踏板又は化粧踏板５と蹴込板１１とが挿入される溝１０ｃ，１０ｄを有する構成としているが、これに限定されるものではなく、図５に示した従来例のように水平部１ａと垂直部１ｂとが交互に連続して形成された一対の側板１，１に仮設踏板又は化粧踏板５と断面略逆台形状に成形した蹴込板１１とを設置し、且つ化粧踏板５の前方に滑り止め部１３を設け、この滑り止め部１３で蹴込板１１の上部先端を覆うようにすれば、所謂ひな壇型の階段とすることもできるのである。
【００２３】
【発明の効果】
請求項１の発明は、水平部と垂直部とが交互に形成してなる一対の側板と、該側板の水平部に設置する仮設踏板又は化粧踏板と、前記側板の垂直部に設置する蹴込板と、を有する仮設化粧階段であって、前記蹴込板を断面略逆台形状に成形すると共に、前記化粧踏板の前部に滑り止め部を設け、該滑り止め部で前記蹴込板の上部先端を覆うようにしたことに特徴を有するので、従来、仮設踏板と蹴込板との交差部に形成されていた段鼻部を廃止することができ、作業時のつまずきや、引っ掛けを防止することができ、施工作業を安全に行うことができる。また、蹴込板の断面を略逆台形状としたことによって、蹴込板の下部に対して垂直前方に突出する仮設踏板又は化粧踏板の踏み込み面積を十分に確保することができる。さらに、段鼻部に替わって滑り止め部を設けたことによって、安全性を高めることができると共に、デザイン性にも優れた階段とすることができるものである。
【００２４】
また、請求項２の発明は、水平部と垂直部とが交互に形成してなる一対の側板と、該側板の水平部に形成した溝に挿入する仮設踏板又は化粧踏板と、前記側板の垂直部に設置する蹴込板と、を有する仮設化粧階段であって、前記側板の溝と仮設踏板又は化粧踏板との間の隙間に竹製又は吸湿潤張性を有する部材からなるくさびを嵌合して前記側板と仮設踏板又は化粧踏板とを固定したことに特徴を有する。これにより、仮設踏板と化粧踏板との取り替え作業をスムースに行うことが可能となり、しかもくさびを竹製または吸湿潤張性の部材によって成形しているので、くさびが緩むことがなく、仮設踏板又は化粧踏板と側板との固定を強固なものとすることができる。
【図面の簡単な説明】
【図１】踏み板が側板の溝に挿入される状態を示す説明図である。
【図２】本発明に係る仮設化粧階段を示す断面図である。
【図３】本発明に係る仮設化粧階段を示す一部断面斜視図である。
【図４】本発明に使用するくさびを示す説明図である。
【図５】従来の仮設化粧階段を示す説明図である。
【図６】従来の仮設化粧階段の断面を示す説明図である。
【符号の説明】
１，１０　側板
１ａ，１０ａ　水平部
１ｂ，１０ｂ　垂直部
２　下地材
３　釘
４，１１　蹴込板
５　仮設踏板又は化粧踏板
１２　くさび
１３　滑り止め部
【図１】
2004052451.tif 000003
【図２】
2004052451.tif 000004
【図３】
2004052451.tif 000005
【図４】
2004052451.tif 000006
【図５】
2004052451.tif 000007
【図６】
2004052451.tif 000008